(57)【要約】【課題】ＢＬＡＣＫ  ＭＡＳＫ処理後にＤＣ／ＤＣコンバータを電源オフし、さらにその後、ゲートドライバの電圧設定をオフにした場合における表示ノイズの発生を防止すること。【解決手段】表示器がＯＬＥＤパネルにて構成されている場合、画面が黒表示の状態では負荷が小さい為、ＢＬＡＣＫ  ＭＡＳＫ処理後に、ＤＣ／ＤＣコンバータ１６６を電源オフし、さらにその後、ゲートドライバ１６３の電圧設定をオフにしたとき、整流コンデンサ１７１，１７２の電荷が殆ど放電されずに残っている。この為、この残電荷による電流がＯＬＥＤパネル３０へ流れることによって、表示ノイズが発生する。そこで、ＤＣ／ＤＣコンバータ１６６の出力に放電素子（例えば、抵抗１７３）を挿入する。これにより、整流コンデンサ１７１，１７２に充電されていた電荷を速やかに放電させる。【選択図】図７
2008299025.tif 000002
【特許請求の範囲】
【請求項１】
複数の発光素子を有する多数の画素が縦横に配されて構成される表示器と、
前記複数の発光素子ごとの発光状態を制御することにより表示を行うゲートドライバと、
前記表示器に電源供給を行うＤＣ／ＤＣコンバータと、
前記ゲートドライバと前記ＤＣ／ＤＣコンバータとを制御して前記表示器の制御を行う主制御部と、
前記ＤＣ／ＤＣコンバータから前記表示器への正極負極の給電線それぞれに接続された整流用コンデンサと、
前記正極負極の給電線間を接続する放電素子と、
を具備したことを特徴とする自発光型表示器を備えた携帯電子機器。
【請求項２】
前記表示器は有機ＥＬディスプレイであることを特徴とする請求項１に記載の自発光型表示器を備えた携帯電子機器。
【請求項３】
前記主制御部は、前記表示器をオフする要求があると、
前記ゲートドライバにて出力する描画データのすべてを黒色にするよう指示した後に、前記ＤＣ／ＤＣコンバータをオフし、さらにその後に前記ゲートドライバの電圧設定をオフに設定することを特徴とする請求項１または２に記載の自発光型表示器を備えた携帯電子機器。
【請求項４】
ゲートドライバにより発光状態が制御される複数の発光素子を有する多数の画素が縦横に配されて構成される表示器と、
前記表示器への電源供給を受ける正極負極の給電線と、
前記正極負極の給電線それぞれに接続された整流用コンデンサと、
前記正極負極の給電線それぞれにおける、前記整流用コンデンサから前記表示器までの区間同士を接続する放電素子と、
を具備したことを特徴とする自発光型表示器。
【発明の詳細な説明】
【技術分野】
【０００１】
本発明は、自発光型表示器を備えた携帯端末装置に係り、特に表示器オフ時における表示ノイズを防止した自発光型表示器及び自発光型表示器を備えた携帯電子機器に関する。
【背景技術】
【０００２】
近年、インターネットや電子メールの普及ならびに通信網の整備に伴って、オフィスや家庭といった位置的に固定された場所以外の場所から各種情報にアクセスする機会が増加している。これと共に、携帯電話機、ＰＨＳ（Ｐｅｒｓｏｎａｌ  ＨａｎｄｙｐｈｏｎｅＳｙｓｔｅｍ）あるいはＰＤＡ（ｐｅｒｓｏｎａｌ  ｄｉｇｉｔａｌ  ａｓｓｉｓｔａｎｔｓ）等の携帯端末装置が広く使用されるようになってきている。また、これらの携帯端末装置ディスプレイ（表示器とも称する）も通常のコンピュータと同様に各種の情報をカラフルに表示する要請が高くなっており、カラー液晶ディスプレイの使用も急速に普及している。
【０００３】
ところでこのような携帯端末装置のディスプレイには、従来の液晶ディスプレイ（ＬＣＤ：Ｌｉｑｕｉｄ  Ｃｒｙｓｔａｌ  Ｄｉｓｐｌａｙ）と共にＥＬ（Ｅｌｅｃｔｒｏｌｕｍｉｎｅｓｃｅｎｃｅ）表示器の使用が注目されている。ＥＬ表示器は電圧を印可すると発光する性質をもった物質であり、炭素などの有機物を含むものは有機ＥＬ（以下、ＯＬＥＤ（Ｏｒｇａｎｉｃ  Ｌｉｇｈｔ−Ｅｍｉｔｔｅｄ  Ｄｉｏｄｅ）とも称する）と呼ばれている。
【０００４】
有機ＥＬ表示器は、ＣＲＴ（Ｃａｔｈｏｄｅ  Ｒａｙ  Ｔｙｂｅ）やプラズマ同様、自発光型のディスプレイであり、高輝度、高解像度、高コントラスト、広視野角、超薄型および低消費電力といった様々な特徴（特長）を持っている。このため、小型で電力消費に制限がある携帯端末装置への使用に注目が集まっている。有機ＥＬ素子は単色で緑色、青色、赤色等の色に発光するものがあり、これらを組み合わせることでマルチカラーディスプレイを構成することができる。また、表示応答速度が非常に早く、液晶ディスプレイの１０００倍程度であるため、スムーズな動画を表示することができる。また、濃淡を表現することができるだけでなく、バックライトを必要としないために薄型となり、使い方によっては、更に電力の消費を抑えることができる（例えば、特許文献１参照）。
【０００５】
このことから、近年、ＯＬＥＤが携帯電話向けに搭載されるようになってきている。しかし、ＯＬＥＤはＬＣＤと異なり、消費電力や焼き付きなどの課題のために背面ディスプレイなどの補助ディスプレイとしての用途しかなかった。対してＬＣＤは前面ディスプレイにも背面ディスプレイにも採用され、現在、その用途は大きく広がっている。
【０００６】
ところで、これらディスプレイには、ＬＣＤ、ＯＬＥＤに関係なく表示データを格納するＲＡＭ（フレームメモリ）が存在する。そのＲＡＭ内のデータがディスプレイに表示されるわけであるが、表示のオン／オフを実施する際に、ＲＡＭ内のデータが意図しないタイミングで表示されるといった不具合が発生する可能性がある。ＲＡＭ内の初期データは不定であり、どんな画像が表示されるかわからない。そのため、この表示を見たユーザは違和感を覚えることとなる。尚、意図しないタイミングとは、例えば、ディスプレイ（表示器）内部の制御線に静電気等が乗り、しかもそれが表示をオンさせる制御線であった場合等に瞬間的に表示の一部がオンしてしまう。これにより、ＲＡＭに残ったデータが表示器に出力されてしまう。また、表示オフ時の基調色が黒色ベースのＬＣＤにおいては、ＲＡＭに残ったデータが表示されてしまうと、黒色ではない画素が生じて、ノイズの存在が目立ってしまう。
【０００７】
そこで従来より、その対策として、ディスプレイへの表示オフのデータの転送前に、ＢＬＡＣＫ（黒色）のデータをＲＡＭに対して転送し、ＲＡＭ内のデータをオ一ル“０”状態（各画素のＲ，Ｇ，Ｂの全ての階調を“０”にする）に設定している（以下、ＢＬＡＣＫ  ＭＡＳＫと記載）。ＢＬＡＣＫ  ＭＡＳＫすることで、意図しないタイミングでＲＡＭ内のデータがディスプレイに表示されても、ディスプレイが黒表示であれば、ユーザが違和感を覚えることはない。
【特許文献１】特開２００１−２２２２５５号公報
【発明の開示】
【発明が解決しようとする課題】
【０００８】
このように、従来、黒基調のＬＣＤにおいては、ＢＬＡＣＫ  ＭＡＳＫを実施することで、意図しないタイミングでＲＡＭ内のデータがディスプレイに表示されてもユーザが違和感を覚えることなくディスプレイを視認することが可能であった（表示ノイズが目立たない）。
【０００９】
しかし、ＯＬＥＤにおいては、同じく黒基調となるため、ＢＬＡＣＫ  ＭＡＳＫにより、大半のノイズを目立たせないようにすることができるが、それでも対策できない表示ノイズが発生することがある。これは、ＯＬＥＤの負荷が表示される画像によって異なる為である。すなわち、白表示の場合には、ＯＬＥＤの消費電流が大きく負荷も大きく、一方、黒表示の場合には、ＯＬＥＤの消費電流が小さく負荷も小さい為である。
【００１０】
このように、ＯＬＥＤに表示させる画像によって負荷が大きく異なるため、表示ＯＦＦ（ＯＬＥＤのゲートドライバの電圧設定をＯＦＦ）を実施した場合に表示ノイズが発生してしまう。以下、図９及び図１０を参照してその原理について説明する。図９はＯＬＥＤディスプレイ（パネルとも称する）の表示ＯＦＦの手順を示したフローチャートであり、図１０は、ＯＬＥＤディスプレイに表示ノイズが発生する原因を説明するための図である。
【００１１】
表示ＯＦＦ動作が開始されると、ＢＬＡＣＫ  ＭＡＳＫ処理が行われる（図９のステップＳ１）。その後、図１０のＤＣ／ＤＣコンバータ１６６の電源がオフされる（図９のステップＳ２）。このとき、図１０の整流コンデンサ１７１，１７２には、ＤＣ／ＤＣコンバータ１６６の電源がオンで、ディスプレイ（パネル）３０の表示が黒表示のとき（ＢＬＡＣＫ  ＭＡＳＫ処理後）に蓄えられた電荷が充電された状態となっている。
【００１２】
その後、所定の時間ウェイトした後（図９のステップＳ３）、パネル３０のゲートドライバの電源設定をＯＦＦすると（図９のステップＳ４）、パネル３０内部のゲートドライバパワーがオフになる瞬間（このとき、ＯＬＥＤは黒表示であるので、消費電流が小さく負荷も小さい為、整流コンデンサの残電荷は放電されず殆ど蓄積された状態で残っている）、パネル３０のゲートドライバ出力がフローティング状態となって、このとき選択されているゲートラインに、整流コンデンサ１７１，１７２からの流入電流が生じて一部の画素が発光してしまい、ノイズ（表示ノイズ）となって現れてしまう。
【００１３】
本発明は、係る問題に鑑みてなされたもので、ＢＬＡＣＫ  ＭＡＳＫ処理後にＤＣ／ＤＣコンバータを電源オフし、さらにその後、ゲートドライバの電圧設定をオフにしても表示ノイズの発生することの無い、自発光型表示器及び自発光型表示器を備えた携帯電子機器を提供することを目的とする。
【課題を解決するための手段】
【００１４】
本発明に係る自発光型表示器を備えた携帯電子機器は、上記課題を解決するために、複数の発光素子を有する多数の画素が縦横に配されて構成される表示器と、前記複数の発光素子ごとの発光状態を制御することにより表示を行うゲートドライバと、前記表示器に電源供給を行うＤＣ／ＤＣコンバータと、前記ゲートドライバと前記ＤＣ／ＤＣコンバータとを制御して前記表示器の制御を行う主制御部と、前記ＤＣ／ＤＣコンバータから前記表示器への正極負極の給電線それぞれに接続された整流用コンデンサと、前記正極負極の給電線間を接続する放電素子と、を具備したことを特徴とする。
【００１５】
また、自発光型表示器を備えた携帯電子機器は、前記表示器は有機ＥＬディスプレイであることが好ましい。
【００１６】
また、自発光型表示器を備えた携帯電子機器は、前記主制御部は、前記表示器をオフする要求があると、前記ゲートドライバにて出力する描画データのすべてを黒色にするよう指示した後に、前記ＤＣ／ＤＣコンバータをオフし、さらにその後に前記ゲートドライバの電圧設定をオフに設定することが好ましい。
【００１７】
本発明に係る自発光型表示器は、ゲートドライバにより発光状態が制御される複数の発光素子を有する多数の画素が縦横に配されて構成される表示器と、前記表示器への電源供給を受ける正極負極の給電線と、前記正極負極の給電線それぞれに接続された整流用コンデンサと、前記正極負極の給電線それぞれにおける、前記整流用コンデンサから前記表示器までの区間同士を接続する放電素子と、を具備したことを特徴とする。
【発明の効果】
【００１８】
本発明によれば、表示器にノイズ表示が生じることがない。
【発明を実施するための最良の形態】
【００１９】
以下、本発明の実施形態について
以下、図面を参照して本発明を実施するための最良の形態を説明する。なお、以下、携帯電子機器として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００２０】
図１から図３により、携帯電話機１における基本構造を説明する。図１は、携帯電話機１を開いた状態（第１開状態）における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
【００２１】
携帯電話機１は、操作部側筐体２と、表示部側筐体３とを備える。操作部側筐体２と表示部側筐体３とは２軸ヒンジ機構を備える連結部４を介して連結され、該携帯電話機１を開状態及び閉状態に変形可能とすると共に、開状態及び閉状態それぞれにおいて表示部側筐体３を表状態と裏状態とに切り替えることができる。
【００２２】
ここで、閉状態とは、両筐体が互いに重なるように配置された状態であり、開状態とは、両筐体が互いに重ならないように配置された状態をいう。そして、開状態における表状態とは、後述する表示部側筐体３における表面３Ａに配置されるディスプレイ３０と、操作部側筐体２におけるフロントケース２ａに配置される操作キー群１１とが同じ側を向くように配置された状態であり、裏状態とは、表示部側筐体３におけるディスプレイ３０と操作部側筐体２における操作キー群１１とが反対側を向くように配置された状態をいう。また、閉状態における表状態とは、表示部側筐体３におけるディスプレイ３０が操作部側筐体２における操作キー群１１に対向するように配置された状態であり、閉状態における裏状態とは、表示部側筐体３におけるディスプレイ３０が操作部側筐体２における操作キー群１１と対向せずに表出した状態である。
【００２３】
操作部側筐体２は、外面がフロントケース２ａとリアケース２ｂにより構成される。この操作部側筐体２は、フロントケース２ａ側に、操作キー群（操作部とも称する）１１と、携帯電話機１の使用者が通話時に発した音声が入力される音声入力部（マイク）１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５と、から構成されている。また、マイク１２（ＭＩＣ）は、操作部側筐体２の長手方向における連結部４側とは反対の外端部側に配置される。つまり、マイク１２は、携帯電話機１が開状態において一方の外端部側に配置される。
【００２４】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２５】
操作部側筐体２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリを充電するための充電端子１９とが設けられている。なお、インターフェース１６、ヘッドホン端子／マイク端子１７及びインターフェース１８は、不使用時において着脱可能な防塵対策用のキャップで覆われている。
【００２６】
操作部側筐体２における他方の側面には、図２（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。
【００２７】
操作部側筐体２のリアケース２ｂには、図３に示すように、被写体を撮像するカメラ部２３と、被写体に光を照射するライト部２４とが露出して配置される。このカメラ部２３とライト部２４とは、操作部側筐体２における連結部４側に配置される。また、操作部側筐体２におけるリアケース２ｂには、詳細は後述するバッテリの収容部にバッテリを装着するための開口部が形成されると共に、該開口部を塞ぐようにバッテリーリッド２５が配置される。
【００２８】
また、操作部側筐体２の上端部と表示部側筐体３の下端部とは、図１から図３に示すように、２軸ヒンジ機構を備える連結部４を介して連結される。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２９】
また、表示部側筐体３は、外面がフロントケース３ａとリアケース３ｂにより構成される。表示部側筐体３におけるフロントケース３ａには、図１に示すように、各種情報を表示するための所定形状のディスプレイ３０と、通話の相手側における音声を出力する音声出力部３１とが露出するように配置される。ここで、音声出力部３１は、表示部側筐体３の長手方向における連結部４とは反対の外端部側に配置される。つまり、音声出力部３１は、携帯電話機１が開状態において他方の端部側に配置される。
【００３０】
また、表示部側筐体３のリアケース３ｂには、図３に示すように、各種情報を表示するためのサブディスプレイ３２が露出して配置される。ディスプレイ３０及びサブディスプレイ３２それぞれは、ＯＬＥＤパネル及び液晶パネルと、このＯＬＥＤパネル及び液晶パネルを駆動する駆動回路と、サブディスプレイの液晶パネルの背面側から光を照射するバックライト等の光源部とから構成される。
【００３１】
ところで、携帯電話機１の表示部側筐体３と操作部側筐体２は、それぞれの操作キー群１１とディスプレイ３０とが対向するような形の閉状態と、図１から図３に示したような開状態とを連結部４にて形成することができる。また、そのいずれの状態にあるかを検出するスイッチがいずれかの筐体内に設けられている。そして、開状態が検出されると、後述する制御部によりディスプレイ３０をオンして表示を開始する。また、閉状態が検出されると、制御部によりディスプレイ３０をオフし、消費電力を抑えるよう制御している。
【００３２】
なお、本実施形態においては、連結部４により折り畳み可能な携帯電話機１の説明をしているが、折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）や、操作部側筐体２と表示部側筐体３とが一つの筐体に配置され連結部を有さない型式（ストレートタイプ）でも良い。
【００３３】
さらに、フリップを備えて、操作部のみを覆い隠し可能であり、表示部が常に露出しているようなフリップタイプであっても良い。
また、携帯電話機１がいかなるタイプであっても、制御部は操作キー群１１の操作を監視しており、操作が所定時間以上生じないときなどには、やはり省電力のためにディスプレイ３０をオフするよう制御している。
【００３４】
図４は、本発明の実施の形態に係る携帯端末装置の内部構成を示すブロック図である。ここでも、携帯端末機器として携帯電話機を例に説明する。図４に示すように、携帯電話機１は、通信部１１１と、制御部１１２と、記憶部１１３と、音声処理部１１４と、表示部（表示器又はディスプレイとも称する）３０と、操作部（操作キー群）１１とにより構成される。
【００３５】
通信部１１１は、図示しない基地局の何れかによって割り当てられるチャネルを用いて当該基地局との間で通信回線を介して無線信号の送受信を行う。
【００３６】
制御部１１２は、その内部構成が機能展開して示されるように、主制御部１２０と、描画・表示制御部１２１とを含んで構成される。
【００３７】
主制御部１２０は、表示部３０に表示オブジェクトを、背景を伴って描画させるように制御する他、接続される通信部１１１、音声処理部１１４、表示部３０、操作部１１との間でデータ交換を行う制御部１１２としての制御中枢となる。
【００３８】
描画・表示制御部１２１は、上記した主制御部１１２による制御の下、後述する記憶部１１３に描画データを展開し、また、表示部３０の表示タイミングに同期して記憶部１１３から描画データを読み出して表示部３０に表示する。
【００３９】
記憶部１１３には、内部処理のための処理プログラムが複数格納されるプログラム領域１３１の他に、制御部１１２による処理途中のデータが一時的に保持されるワーク領域１３２と、１画面分の表示データがビットマップ形式で描画される表示メモリ領域１３３とがそれぞれ割付けられ格納される。尚、記憶部１１３は、例えば、不揮発性の記憶デバイス（不揮発性半導体メモリ、ハードディスク装置、光ディスク装置等）やランダムアクセス可能な記憶デバイス（例えば、ＳＲＡＭ、ＤＲＡＭ）等によって構成される。
【００４０】
音声処理部１１４は、スピーカ（ＳＰ）から出力される音声信号やマイクロフォン（ＭＩＣ：以下、マイクと称する）を介して入力される音声信号の処理を行う。すなわち、音声処理部１１４は、マイクから入力される音声を増幅し、アナログ／デジタル変換を行い、更に符号化等の信号処理を施し、デジタルの音声データに変換して制御部１１２に出力する。また、音声処理部１１４は、制御部１１２から供給される音声データに復号化、デジタル／アナログ変換、増幅等の信号処理を施し、アナログの音声信号に変換してスピーカに出力する。
【００４１】
表示部３０は、制御部１１２により生成される表示情報を映像信号に変換して表示する。例えば、携帯電話機発信時における発信先の電話番号、着信時における着信相手の電話番号、受信メールや送信メールの内容、日付、時刻、アンテナレベル、バッテリ残量のピクト、発信成否、待ち受け画像等の各種の情報や画像を表示する。
【００４２】
ここでは、表示部３０として、複数の発光素子（自発光素子：Ｒ，Ｇ，Ｂの三原色毎に一つずつ設けられる）にて一つのピクセル（表示素子）を構成し、このような表示素子が縦横に多数並べて構成され、当該複数の表示素子（発光素子）毎の発光状態を制御することにより画面の表示を行う有機ＥＬディスプレイであって、具体的には、複数の発光素子にて一つの画素を構成し、当該複数の発光素子毎の光量を調整することにより画素毎に色を生成し、当該画素の集合体により画面表示を行う、いわゆる、有機ＥＬ表示デバイス（ＯＬＥＤパネル）を用いる。
【００４３】
ＯＬＥＤパネル（表示部３０）は、例えば、図５にその内部構成が示されるように、タイミング制御部１５１と、カラム駆動部１５２と、ロウ駆動部１５３と、電源部１５４と、ＯＬＥＤ本体パネル１５５とにより構成される。
【００４４】
上記した制御部１１２の描画・表示制御部１２１により出力される映像信号（ＶＩＤＥＯ）は、タイミング制御部１５１により、ＲＧＢ信号、垂直同期（ＶＤ）及び水平同期（ＨＤ）に分離される。このうち、ＲＧＢ信号は、一旦、カラム駆動部１５２によりアナログラッチで保持された後、指定されたタイミングでＯＬＥＤパネル本体１５５のカラム本数分並列に一度に出力される。出力された信号は、それぞれ電圧から電流値に変換され、カラムを定電流駆動する。これにより、所定周期で表示更新が行われる。
【００４５】
また、ＶＤ及びＨＤは、ロウ駆動部１５３で所定の電圧に変換され、カラムで出力された定電流信号で選択された画素のオン又はオフ状態を決定する。例えば、横がｍ画素、縦がｎ画素のＯＬＥＤパネル本体１５５を想定すれば、ＯＬＥＤパネル本体１５５は、ｍ本のカラム電極と、ｎ本のロウ電極とを有していることになる。ｎ本のロウ電極は、ロウ電極の１行目からｎ行目を順次走査しており、ある動作時間のみカラム電極を介して駆動される定電流信号によって動作状態となる。このように、１行目のロウ電極から最下段のｎ行目のロウ電極まで逐次走査が切り替えられて１画面分のアドレスが更新される。このときの１行目からｎ行目までの走査パルス列によって生成される１画面分の画像をフレームといい、連続的に画像を表示させるためにはこの画面走査を繰り返し行う必要がある。
【００４６】
説明を図４に戻す。操作部１１は、例えば、電源キー、通話キー、数字キー、文字キー、方向キー、決定キー、発信キー等、各種の機能が割り当てられたキーを有しており、これらのキーがユーザによって操作された場合に、その操作内容に対応する信号を発生し、これをユーザの指示として制御部１１２に入力する。
【００４７】
図６は、図４の制御部１１２と表示部（ＯＬＥＤパネル）３０にて構成される回路１１５を示したブロック図である。尚、図６では、制御部１１２の構成として、ＯＬＥＤパネル３０を駆動する以外の回路（ブロック図）は省略している。
【００４８】
回路１１５は、ＯＬＥＤパネル３０とそれ以外のＯＬＥＤパネル制御部とから構成される。回路１１５は、ＯＬＥＤ表示装置の一例を示している。
【００４９】
ＯＬＥＤパネル３０は、ゲート回路１６０とゲートドライバ１６３とから構成され、ゲートドライバ１６３は、制御部１６１と電源部１６２とから構成される。ＯＬＥＤパネル制御部は、ＣＰＵ１６４と、ＯＬＥＤコントローラ部１６３と、電源制御部１６５と、昇圧回路（ＤＣ／ＤＣコンバータ）１６６とにより構成される。
【００５０】
図６のＯＬＥＤ表示装置１１５において、昇圧回路（ＤＣ／ＤＣコンバータ）１６６は、ＯＬＥＤパネル３０のゲートドライバ１６３に電圧を供給している。携帯電話機１の閉状態検出や無操作状態の継続などを検知すると、すなわち、既述したように、ＯＬＥＤパネル本体１５５の表示ＯＦＦ動作が開始されると、制御部１１２は、ＢＬＡＣＫ  ＭＡＳＫ処理を実行し、その後、昇圧回路（ＤＣ／ＤＣコンバータ）１６６の電源をオフする。このとき、昇圧回路（ＤＣ／ＤＣコンバータ）１６６から、ＯＬＥＤパネル３０のゲートドライバ１６３に電圧を供給するプラス側及びマイナス側の給電線にそれぞれ設けられた整流コンデンサ１７１，１７２（図示せず）には、ＤＣ／ＤＣコンバータ１６６の電源がオンで、ディスプレイ（ＯＬＥＤパネル）３０の表示が黒表示のとき（ＢＬＡＣＫ  ＭＡＳＫ処理後）に蓄えられた電荷が充電された状態となっている。
【００５１】
その後、制御部１１２は、所定の時間ウェイトした後、ＯＬＥＤパネル３０のゲートドライバ１６３の電源設定をＯＦＦにするが、このとき、ＯＬＥＤパネル本体１５５は黒表示状態であるので、消費電流小且つ負荷小であるため、整流コンデンサ１７１，１７２に蓄えられた電荷が放電されず、殆どそのまま残ってしまっている。このため、整流コンデンサ１７１，１７２の残電荷（電流）ａが、ゲート回路１６０に流れ込むことになる。このとき（ゲートドライバ１６３の電圧設定がオフにされたとき）、ゲートドライバ出力がフローティング状態となり、そのときに選択されているゲート回路１６０に、整流コンデンサ１７１，１７２からの流入電流が流れ込み、一部の画素が発光してしまい、ノイズ（表示ノイズ）となって現れてしまう。
【００５２】
そこで、本発明では、ＤＣ／ＤＣコンバータ１６６の電源がオフになった後、整流コンデンサ１７１，１７２に蓄えられた電荷を速やかに“０”にするために、プラス側及びマイナス側（正極及び負極）の給電線間（ＤＣ／ＤＣコンバータ１６６の出力側）に放電素子（例えば、ＯＬＥＤパネル３０自体の抵抗値よりも小さい所定の抵抗値を有する抵抗）を接続した。
【００５３】
図７は、図６の回路１６７を抜き出した回路図である。図７に示すように、昇圧回路（ＤＣ／ＤＣコンバータ）１６６から、ＯＬＥＤパネル３０のゲートドライバ１６３に電圧を供給するプラス側及びマイナス側（正極及び負極）の給電線の間に放電素子１７３を挿入した。これにより、ＤＣ／ＤＣコンバータ１６６の電源がオフになった後、整流コンデンサ１７１，１７２に蓄えられた電荷は速やかに放電素子１７３により放電され、ゲート回路１６０に残電荷ａによる電流流れ込みを回避することができる。
【００５４】
図８に、抵抗（放電素子）の有無による整流コンデンサの残電荷の放電状況の実験結果の一例を示す。図８（Ａ）は、抵抗無時の電源波形を示したグラフで、ＯＬＥＤの負荷が小さい為、放電が遅く、ノイズとなって表示に表れる確率の高い状態が長く継続することが分かる。図８（Ｂ）は、抵抗有時の電源波形を示したグラフで、抵抗追加により放電経路を確保した為、放電が早く、ノイズとなって表示に表れる確率の高い状態が非常に短時間で収束することが分かる。尚、各グラフにおける縦軸は放電電圧値を、横軸は放電時間をそれぞれ示している。
【００５５】
以上、本発明によれば、以下の効果を有する。
【００５６】
本発明では放電用の放電素子（例えば抵抗）を、昇圧回路（ＤＣ／ＤＣコンバータ）からＯＬＥＤパネルのゲートドライバに電圧を供給するプラス側及びマイナス側の給電線の間に放電素子を挿入したので、表示ノイズの発生を防ぐことが可能となる。又、抵抗を追加することで、微小な電流は増加するが、表示中の消費電流に比較して極めて微小である為、問題とならない。
【００５７】
また、本発明の構成により、携帯電話機１の筐体の状態が変化したとき（特に閉状態でも表示部が常に露出するフリップタイプ）や、操作部１１の無操作状態の継続が生じて表示をオフする際にも、ユーザにとって不快なノイズが表示されてしまうことを防止することができる。
【００５８】
尚、本発明の携帯端末装置が持つ各構成ブロックの機能は、全てをソフトウェアによって実現しても、あるいはその少なくとも一部をハードウェアで実現しても良い。例えば、主制御部１２０における処理や、描画・表示制御部１２１におけるデータ処理は、１又は複数のプログラムによりコンピュータ上で実現しても良く、また、その少なくとも一部をハードウェアで実現しても良い。
【図面の簡単な説明】
【００５９】
【図１】携帯電話機を開いた状態（第１開状態）における正面図である。
【図２】（Ａ）携帯電話機を開いた状態における左側面図を示し、（Ｂ）携帯電話機を開いた状態における右側面図である。
【図３】携帯電話機を開いた状態における背面図である。
【図４】本発明の実施の形態に係る携帯端末装置の内部構成を示すブロック図である。
【図５】ＯＬＥＤパネルの内部構成を示す図である。
【図６】ＯＬＥＤパネルへの残電荷による電流流れ込みを説明するための図である。
【図７】図６の回路１６７を抜き出した回路図である。
【図８】抵抗（放電素子）の有無による整流コンデンサの残電荷の放電状況の実験結果の一例を示す図である。
【図９】ＯＬＥＤパネルの表示ＯＦＦの手順を示したフローチャートである。
【図１０】ＯＬＥＤパネルに表示ノイズが発生する原因を説明するための図である。
【符号の説明】
【００６０】
１  携帯電話機
２  操作部側筐体
２ａ、３ａ  フロントケース
２ｂ、３ｂ  リアケース
３  表示部側筐体
４  連結部
１１  操作キー群（操作部）
３０  ＯＬＥＤパネル（表示部、ディスプレイ）
１１１  通信部
１１２  制御部
１１３  記憶部
１２０  主制御部
１２１  描画・表示制御部
１５５  ＯＬＥＤパネル本体
１６３  ゲートドライバ
１６６  ＤＣ／ＤＣコンバータ（昇圧回路）
１７１，１７２  整流コンデンサ
１７３  放電素子（抵抗）
【図１】
2008299025.tif 000003
【図２】
2008299025.tif 000004
【図３】
2008299025.tif 000005
【図４】
2008299025.tif 000006
【図５】
2008299025.tif 000007
【図６】
2008299025.tif 000008
【図７】
2008299025.tif 000009
【図８】
2008299025.tif 000010
【図９】
2008299025.tif 000011
【図１０】
2008299025.tif 000012